(57)【要約】【課題】  サンダルや下駄等の鼻緒を備えた履物を長時間着用しても鼻緒擦れが発生せず、足の指の股部分が痛くなるのを防止できる鼻緒擦れ防止具を提供する。【解決手段】  足の指の間に挟まれる鼻緒の前緒部分に巻き付けて装着しうるように形成されたことを特徴とする。また、この鼻緒擦れ防止具は、ソフトでクッション性を有する素材でシート状に形成されている。また、この鼻緒擦れ防止具は、熱可塑性エラストマーにより形成されたクッション部材と、上記クッション部材の片面に塗布された粘着材と、上記粘着材塗布部の表面を剥離可能に被覆しうるカバー部材とを備えて構成されている。【選択図】図１
0003106258.tif 000002
【実用新案登録請求の範囲】
【請求項１】
鼻緒を有する履物に使用され、全体長方形状に形成され鼻緒の前緒部分に巻き付けるように形成されたことを特徴とする鼻緒擦れ防止具。
【請求項２】
ソフトでクッション性を有する素材で形成されたことを特徴とする請求項１記載の鼻緒擦れ防止具。
【請求項３】
熱可塑性エラストマーにより形成されたクッション部材と、上記クッション部材の表面を被覆しうるカバー部材とを備えて構成されたことを特徴とする請求項１又は２記載の鼻緒擦れ防止具。
【考案の詳細な説明】
【技術分野】
【０００１】
本考案は、サンダル等履物の鼻緒に装着して、その履物を着用した場合に、鼻緒擦れにより指の股が痛くなるのを防止する鼻緒擦れ防止具に関する。
【背景技術】
【０００２】
従来、鼻緒を備えた各種履物、例えば、トングサンダル、ビーチサンダル、下駄等が存在する。
【０００３】
これらの履物は、鼻緒の前緒部分を足の指における第１指と第２指との間に挟んで固定することにより着用する。
【０００４】
従来の履物における鼻緒は、上記のように足を固定する必要があるので、安易に切れないように硬めの丈夫な素材が芯材として使用されている。
【０００５】
また、デザインの関係から、鼻緒の前緒部分は細く形成されたものが多い。
【０００６】
従って、上記履物を長時間着用していると、足の第１指と第２指との間に挟んだ鼻緒の前緒部分が指の股に食い込み、歩行する際に鼻緒擦れが生じ、場合によっては指の股の部分が痛くなるという不具合があった。
【０００７】
本出願人は上記の不具合を解消しうる用具について調査したが、関連する先行技術文献を見出すことはできなかった。
【考案の開示】
【考案が解決しようとする課題】
【０００８】
本考案は、上記の不具合を解消しうる用具、即ち、鼻緒を備えた履物を長時間着用しても鼻緒擦れが発生せず、足の指の股部分が痛くなるのを防止できる鼻緒擦れ防止具の提供を課題とする。
【課題を解決するための手段】
【０００９】
上記課題を解決するために、請求項１記載の本考案に係る鼻緒擦れ防止具は、全体長方形状に形成され鼻緒の前緒部分に巻き付けて装着しうるように形成されたことを特徴とするものである。
【００１０】
即ち、本考案に係る鼻緒擦れ防止具は、鼻緒の前緒部分に巻き付けて装着することにより、足の第１指と第２指との間に挟み、指が直に鼻緒の前緒部分に接触して鼻緒擦れを起こすのを回避するものである。
【００１１】
また、請求項２記載の本考案に係る鼻緒擦れ防止具は、ソフトでクッション性を有する素材でシート状に形成されたことを特徴とする。
【００１２】
即ち、本考案に係る鼻緒擦れ防止具は、鼻緒の前緒部分に巻き付けやすいようにシート状に形成されている。
また、指に接触した場合に、指に対する圧迫を緩和するために、ソフトでクッション性を有する素材で形成されている。
【００１３】
また、請求項３記載の本考案に係る鼻緒擦れ防止具は、熱可塑性エラストマーにより形成されたクッション部材と、上記クッション部材の表面を被覆しうるカバー部材とを備えて構成されたことを特徴とする。
【００１４】
即ち、本考案に係る鼻緒擦れ防止具は、柔軟性及び弾力性を有する熱可塑性エラストマーを素材とするクッション部材を鼻緒の前緒部分に巻き付けるものであるが、熱可塑性エラストマーの素材そのものが粘着性を有することから、上記クッション部材を鼻緒に巻きつけた場合には、クッション部材の裏面側をクッション部材の表面側を被覆するカバー部材に固定することができる。
また、使用前にクッション部材の表面の粘着性を保護するために、剥離可能なカバー部材によりクッション部材の表面が被覆されている。
【考案の効果】
【００１５】
請求項１記載の本考案に係る鼻緒擦れ防止具は、足の指の間に挟まれる鼻緒の前緒部分に巻き付けて装着しうるように形成されたことから、鼻緒を備えた履物を着用する際に使用者が容易に装着することができる。
また、鼻緒の前緒部分に巻き付けて装着することより、指の股部分の間に挟まれて、鼻緒が直に指の股部分に接触しなくなるので、歩行時に鼻緒の前緒部分が皮膚を擦って痛めることがなく、鼻緒擦れが確実に防止される。
また、鼻緒の前緒部分に巻き付けることにより、その前緒部分が太くなって指の股部分に食い込みにくくなるので、鼻緒擦れの防止効果が顕著である。
【００１６】
また、請求項２記載の本考案に係る鼻緒擦れ防止具は、ソフトでクッション性を有する素材でシート状に形成されたことから、足の指の間に挟まれた状態で、指の股部分に対する触感がソフトで、指の股部分に対する圧迫が緩和されるため、使用感が頗る良好で、指の股部分の鼻緒擦れが確実に防止される。
【００１７】
また、請求項３記載の本考案に係る鼻緒擦れ防止具は、熱可塑性エラストマーにより形成されたクッション部材と、上記クッション部材の表面を剥離可能に被覆しうるカバー部材とを備えて構成されていることから、形態がシンプルで容易に成形することができ、低コストにより提供することができる。
また、上記熱可塑性エラストマーは素材そのものが粘着性を有することから、クッション部材に、特に、他の接着剤等を使用することなく、鼻緒の前緒部分に巻き付けた状態を容易に固定することができる。
その結果、他の固定具を用いる必要がないことから、例えば面ファスナを用いた場合のように嵩張ることなく、製造コストがアップすることもない。
また、使用前はカバー部材で粘着材が保護され、使用するときはカバー部材を剥離することによりクッション部材の表面を露呈させて迅速に使用を開始することができる。
【考案を実施するための最良の形態】
【００１８】
以下、図面に基づき本考案の実施の形態について説明する。
本実施形態に係る鼻緒擦れ防止具１１は、図１に示すように、足の指の間に挟まれる鼻緒１２の前緒部分１２ａに巻き付けて装着しうるように形成されている。
また、本実施形態に係る鼻緒擦れ防止具１１は、図２及び図３に示すように、ソフトでクッション性を有する素材でシート状に形成されている。
また、本実施形態に係る鼻緒擦れ防止具１１は、図３に示すように、熱可塑性エラストマーにより形成されたクッション部材１３と、クッション部材１３の表面部１４を剥離可能に被覆しうるカバー部材１５とを備えて構成されている。
【実施例１】
【００１９】
以下、図示した実施例１について説明する。
本実施例に係る鼻緒擦れ防止具１１は、図２に示すように、幅が約３ｃｍで、長さが約６ｃｍの矩形に形成されている。
【００２０】
上記のサイズは、鼻緒を備えた殆ど全ての履物に対応できるように設定されている。
【００２１】
即ち、殆どの履物における鼻緒１２の前緒部分１２ａの長さは約３ｃｍ以下であることから、上記のように幅が約３ｃｍに設定されている。
【００２２】
また、鼻緒１２の前緒部分１２ａに確実に２、３周巻き付けて、装着状態を安定させ、使用中に安易に外れるのを防止することができるように、上記のように長さが約６ｃｍに設定されている。
【００２３】
また、本実施例に係る鼻緒擦れ防止具１１は、図３に示すように、クッション部材１３を主な構成要素としている。
【００２４】
上記クッション部材１３の素材には、柔軟性及び弾力性を有する熱可塑性エラストマーが使用されている。
【００２５】
この熱可塑性エラストマーの柔軟性により、当該クッション部材１３を、図１に示すように、サンダル１６に取り付けた鼻緒１２の前緒部分１２ａに容易に巻き付けることができる。
【００２６】
また、熱可塑性エラストマーの弾力性により、足指にソフトな触感を与えることができる。
【００２７】
上記クッション部材１３における上記表面部１４は、図３に示すように、カバー部材１５により被覆されている。
【００２８】
上記カバー部材１５は、耐水性コーティングを施された紙製であって、クッション部材１３と共に折り曲げうるように形成されている。また、クッション部材１３の裏面部１８側には保護シート１７が貼付され、上記裏面部１８を被覆することにより、実際に使用されるまでの間において粘着性を有する上記裏面部１８に他の物品が付着しないように保護している。
【００２９】
本実施例に係る鼻緒擦れ防止具１１は、上記クッション部材１３における上記表面部１４に上記カバー部材１５が被覆されると共に裏面部１８側には保護シート１７が貼付された状態で、包装袋等に収納されて販売されるものである。そして、使用時には、使用者が自分で上記カバー部材１５を剥離して鼻緒１２に装着する。  
【００３０】
本実施例に係る鼻緒擦れ防止具１１は、上記のように、まず、使用者が自分で上記保護シート１７を剥離して、上記裏面部１８を露呈させる。
【００３１】
次に、上記裏面部１８を露呈させた状態で、その裏面部１８が内面側に配置されるように、上記クッション部材１３を丸めるようにして、図１に示すように、鼻緒１２の前緒部分１２ａの外周に巻き付け、上記裏面部１８の端部を上記カバー部材１５の端部に貼付して固定する。
【００３２】
これにより、鼻緒１２の前緒部分１２ａに巻き付けられた上記クッション部材１３は、上記粘着性を有するクッション部材１３の表面部１４が上記カバー部材１５の端部に貼着して固定され、鼻緒１２に巻きつけ固定されて、鼻緒への装着が完了する。
【００３３】
なお、上記クッション部材１３を鼻緒１２の前緒部分１２ａの外周に巻き付ける場合、図１に示すように、上記クッション部材１３の長さ方向の端縁部１３ａが足指の股部分に接触しないように、その端縁部１３ａが指先方向を向くように調整することが好ましい。
【００３４】
本実施例に係る鼻緒擦れ防止具１１を、図１に示すように、サンダル１６の鼻緒１２の前緒部分１２ａの外周に巻き付けて装着し、そのサンダル１６を履く場合に、その略円筒状に丸められた鼻緒擦れ防止具１１を足の第１指と第２指の間に挟めば、鼻緒１２が直に足指の股部分に接触しないので、鼻緒擦れが防止される。
【産業上の利用可能性】
【００３５】
本考案は、サンダルに限らず、鼻緒を備えたすべての履物に適用可能である。
【図面の簡単な説明】
【００３６】
【図１】装着状態を示す一部斜視図である。
【図２】カバー部材の一部を破断した斜視図である。
【図３】カバー部材の一部を剥離した断面図である。
【符号の説明】
【００３７】
１１    鼻緒擦れ防止具
１２    鼻緒
１２ａ  鼻緒の前緒部分
１３    クッション部材
１３ａ  クッション部材の端縁部
１４    表面部
１５    カバー部材
１６    サンダル
１７    保護シート
１８  裏面部
【図１】
0003106258.tif 000003
【図２】
0003106258.tif 000004
【図３】
0003106258.tif 000005